(57)【要約】      （修正有）【課題】本考案の目的は、フラッシュ構造の中空部にマイナスイオン含有物質含有塗やすいように、しかも発生したマイナスイオンがフラッシュ中空部で拡散できるようにして天板面よりバランスよく発生するマイナスイオン発生生成家具を提供する。【解決手段】木枠１の両面２，２’に接着剤６にて突板３、３’を貼り合わせたフラッシュ構造４の天板５において、前記フラッシュ構造４の突板３の裏面及び／又は木枠２、２’の内面に、マイナスイオン発生源粉末を１０〜５０重量％含有する酢酸ビニール接着剤系の塗層６を設け前記フラッシュ構造４の中空部８にハニカムコア７を装填されてなることを特徴とするマイナスイオン生成家具。【選択図】図1
0003102873.tif 000002
【実用新案登録請求の範囲】
【請求項１】
木枠１の両面２，２’に接着剤６にて突板３、３’を貼り合わせたフラッシュ構造４の天板５において、前記フラッシュ構造４の突板３の裏面及び／又は木枠２，２’の内面にマイナスイオン発生源粉末１０〜５０重量％含有する酢酸ビニール接着剤系の塗層６を設け、前記フラッシュ構造４の中空部８にハニカムコア７を装填されてなることを特徴とするマイナスイオン生成家具。
【考案の詳細な説明】
【考案の詳細な説明】
【技術分野】
【０００１】本考案は、スムーズにマイナスイオンを発生させ、人体の健康に有益な効果をもたらすマイナスイオン生成家具に関する。
【背景技術】
【０００２】従来、モザイト粉末をマイナスイオン発生源として含むポリウレタン系塗料をチーク系木質系無垢基材に塗布した床材（従来技術１）や、トルマリン鉱石の微粉末を含有する塗布液を含浸させて不織布を接着固定した板状体を壁面に取り付けマイナスイオンを発生させるマイナスイオン発生機能を具備した板状体が知られている。（従来技術２）
【従来技術】
【０００３】
【従来技術１】
実用新案登録第３０９６１７８号（登録日  平成１５年６月１８日））
実用新案権者  ミヤンマーチーク販売株式会社
考案の名称  床材
【従来技術２】
特開２００２−２６４２７７号（公開日  ２００２年９月１８日）
出願人  三谷  床司
発明の名称  マイナスイオン発生機能を付与した板状体
【従来技術の欠点】
【０００４】先行技術１は、基材として無垢材材を用いるために材料コストが高くつくことや、その表面から発生するマイナスイオン量は、正常では設計発生量よりもはるかに小さく、又設計イオン発生量を維持するには、常に表面状態を活動しやすくする必要がある。一方、先行技術２は、壁面や家具そのものの表面からの発生ではなく、壁面や家具に取り付けた板状体からの発生であるから板状体の生産コストが高くなる欠点がある。
【本考案の目的】
【０００５】本考案の目的は、フラッシュ構造の中空部にマイナスイオン含有塗層を設けることによりそこから発生するマイナスイオンが設計通りに発生いやすいように、しかも発生したマイナスイオンがフラッシュ中空部で拡散できるようにして天板面よりバランスよく発生するマイナスイオン生成家具の提供を目的とする。
【考案の構成】
【０００６】本考案は、「木枠１の両面２，２’に接着剤６にて突板３，３’を貼り合わせたフラッシュ構造４の天板５において、前記フラッシュ構造４の突板３の裏面及び／又は木枠２、２’の内面に、マイナスイオン発生源粉末を１０〜５０重量％含有する酢酸ビニール接着剤系の塗層６を設け、前記フラッシュ構造４の中空部８にハニカムコア７を装填されてなることを特徴とするマイナスイオン生成家具。」である。以下、本考案の内容を詳細に説明する。
【０００７】本考案によるマイナスイオン生成家具は、フラッシュ構造を有する家具の天板上面からマイナスイオンを発生することのできるマイナスイオン生成家具である。図１は、本考案による生成家具のフラッシュ構造の横断面図である。フラッシュ構造４は、対象とする家具によってその形状や材質としてチーク、桜、ブナ等を基材として選択し、木枠２、２’により箱型状に枠組される。
【０００８】上記した対象とする家具としては、フラッシュ構造を有するテーブル板のみならず食器棚、ダイニングボード及び家具に付随する各種棚が挙げられる。なにも、テーブルの天板に限定されるものではない。例えばフラッシュ構造を有する棚が挙げられる。
【０００９】次ぎに、枠組をフラッシュ基材として係るい基材の上下面に突板３、３’を酢酸ビニール系接着剤を塗布してフラッシュ構造４に枠組して、その上部からプレス機にてプレス成形する。
【００１０】フラッシュ構造４の突板３裏面及び／又は木枠２、２’の内面に、刷毛やヘラを用いて酢酸ビニール接着剤に対してマイナスイオン発生粉末１０〜５０重量％配合したマイナスイオン含有接着剤の厚み０．２５〜０．５５ｍｍのマイナスイオン発生塗層を形成する。
【００１１】マイナスイオン発生粉末としては、トルマリン（電気石）、麦飯石、ランタノイド系粉末リチア系粉末、セリア系粉末が使用できるし、その粉末の粒度は４４ミクロン以下が適している。ここで、粒度が４４ミクロン以上の粉末を用いると接着剤中への粉末の分散が悪くなりマイナスイオンの発生を抑止したり阻害したりする傾向となるので好ましくない。
【００１２】酢酸ビニール接着剤へのマイナスイオン発生粉末の配合割合は、１０〜５０重量％であることが好ましい。１０重量％以下では、塗層面からのマイナスイオン発生量が少ないし、５０重量％以上では、マイナスイオンの設計値は大きくなるが含有接着液の濃度が高すぎて粉末の分散が困難となり平均的なマイナスイオン発生である１０００個／ｃｍ３前後を確保して維持することが難しい。
【００１３】マイナスイオン含有発生液の塗層６の厚みは、０．２５〜０．５５ｍｍ程度がよろしい。厚みが０．２６ｍｍ以下では、マイナスイオンの発生量が少ないし、０．５５ｍｍ以上では、塗層からのマイナスイオンの発生効率が悪くなるので不利である。
【００１４】フラッシュ構造４の中空部８は前記したマイナスイオン含有塗層６から効果的にマイナスイオンを発生させ、拡散させる空間として必要である。
マイナスイオンの有効発生量は発生源粉末からの距離の二乗に反比例する。マイナスイオン発生粉末との距離をより小さくして塗層を設けることが設計面からは望ましいが、粉末と塗料との均一相からの粉末中のマイナスイオンの発生効率は小さい。
【００１５】本考案による中空部８は、塗層６からのマイナスイオンを効率的に発生させ、これを拡散させる役割を有するものである。該中空部８内にハニカムコア７を装填すると、フラッシュ構造４の補強効果のみばかりではなく、図２の模式図で示すように塗層６から発生したマイナスイオンを均一に天板５や家具外面へ拡散させることができる。
【００１６】以上説明したように、本考案によるマイナスイオン生成家具は、フラッシュ構造を有する家具であれは、箱もの、棚ものあるいは、脚もの等家具において効果がある。特に前記したテーブル天板を始め、食器棚、ダイニングボード、各種棚については、日常空間にて用いるものであるから空間の環境改善に寄与するところが大きい。
【００１７】また、突板材と生ベニヤとの接着をマイナスイオン含有接着剤にホルムアルデヒド系接着剤を用いないのでアルデヒドに起因する「化学物質過敏症」や「シックハウス症候群」に対しての影響を抑制する効果が大きい。
【考案の効果】
本考案によるマイナスイオン生成家具は、フラッシュ構造による空間によって塗層からのマイナスイオン発生が効率的であり、従来のように天板面にマイナスイオン塗料を設ける必要もないので、それに伴う“白濁”も生じないので家具そのものの仕上がり感になんら影響を与えず美観を損なうことはない。
【図面の簡単な説明】
【図１】  本考案によるマイナスイオン生成家具の横断面図である。
【図２】  本考案によるマイナスイオイ生成家具でのマイナスイオン発生の模式図である。
【符号の説明】
１：木枠  ２：木枠面  ２  ‘：木枠面  ３：突板  ３  ’：突板  ４：フラッシュ構造５：天板  ６：塗層  ７：ハニカムコア  ８：中空部
【図１】
0003102873.tif 000003
【図２】
0003102873.tif 000004